(57)【要約】【課題】複数のコンテンツサーバが有する各コンテンツデータをそれぞれのコンテンツサーバから受信しようとするとき、ユーザの端末機による効率的なコンテンツデータの受信を可能とする。【解決手段】複数のコンテンツサーバと通信回線で接続された中間サーバを介して、それらが有するコンテンツデータを受信する端末機において、ユーザからの受信要求に基づいて、対象コンテンツデータと該対象コンテンツデータを有するコンテンツサーバとが関連付けられたコンテンツリストであって、中間サーバによる対象コンテンツデータの取得基準となるコンテンツリストを該中間サーバ内に生成するとともに（Ｓ２０３）、中間サーバと各コンテンツサーバとの間のデータ転送状況に基づいて上記のコンテンツリストを再構築して（Ｓ２１１）、中間サーバがその再構築コンテンツリストに従ってコンテンツサーバから取得した対象コンテンツデータを受信する（Ｓ２１７）。【選択図】図５
2008033600.tif 000002
【特許請求の範囲】
【請求項１】
複数のコンテンツサーバと通信回線で接続された中間サーバを介して、各コンテンツサーバが有するコンテンツデータを受信する端末機であって、
ユーザから受信の対象となる対象コンテンツデータの要求を受け付ける受付手段と、
前記受付手段によって受け付けられたユーザ要求に基づいて、前記対象コンテンツデータと該対象コンテンツデータを有するコンテンツサーバとが関連付けられたコンテンツリストであって、前記中間サーバによる対象コンテンツデータの取得基準となるコンテンツリストを、該中間サーバ内に生成するリスト生成手段と、
前記中間サーバを介して、該中間サーバと前記対象コンテンツデータを有する各コンテンツサーバとの間のデータ転送状況を検出するデータ転送状況検出手段と、
前記データ転送状況検出手段によって検出されたデータ転送状況に基づいて、前記リスト生成手段によって生成されたコンテンツリストを再構築するリスト再構築手段と、
前記リスト再構築手段によって再構築されたコンテンツリストに従って前記中間サーバが前記コンテンツサーバから取得した対象コンテンツデータを受信するコンテンツデータ受信手段と、
を備えることを特徴とする端末機。
【請求項２】
前記コンテンツリストは、前記中間サーバが対象コンテンツデータを、該対象コンテンツデータを有するコンテンツサーバから取得する順序を定義するリストであって、
前記リスト再構築手段は、前記データ転送状況検出手段によって検出されたデータ転送状況に基づいて、前記コンテンツリスト中の対象コンテンツデータの前記中間サーバによる取得順序を入れ替えることで、該コンテンツリストの再構築を行うことを特徴とする請求項１に記載の端末機。
【請求項３】
前記リスト生成手段は、前記受付手段がユーザから受け付けた対象コンテンツデータの受付順に沿って、該対象コンテンツデータと該対象コンテンツデータを有するコンテンツサーバとを順次関連付けたコンテンツリストを生成することを特徴とする請求項２に記載の端末機。
【請求項４】
前記データ転送状況手段によって検出されるデータ転送状況は、前記中間サーバと前記対象コンテンツデータを有する前記コンテンツサーバとの間のデータ通信速度、又は該コンテンツサーバの負荷状態であることを特徴とする請求項１から請求項３の何れかに記載の端末機。
【請求項５】
前記データ転送状況検出手段は、前記中間サーバによって、前記コンテンツリストに含まれる各々の対象コンテンツデータが該対象コンテンツデータを有するコンテンツサーバから取得開始される前毎に、前記データ転送状況の検出を行うことを特徴とする請求項２又は請求項３に記載の端末機。
【請求項６】
前記コンテンツリストに定義される取得順序に従い前記中間サーバによって取得開始される対象コンテンツデータである取得開始コンテンツデータについて、前記データ転送状況検出手段によって検出されたデータ転送状況が該取得予定コンテンツデータの取得に適さない転送状況であるとき、
前記リスト再構築手段は、前記コンテンツリスト中の前記取得開始コンテンツデータを除く対象コンテンツデータのうち、前記中間サーバによる取得に適した一の対象コンテンツデータを取得予定コンテンツデータとするべく、該コンテンツリストにおける取得順序を入れ替えることを特徴とする請求項５に記載の端末機。
【請求項７】
前記中間サーバによって一の前記対象コンテンツデータの取得が行われているとき、前
記データ転送状況検出手段によって検出された転送状況が該一の対象コンテンツデータの取得に適さない転送状況となった場合、
前記中間サーバは、前記一の対象コンテンツデータの取得を中断するとともに、前記リスト再構築手段は、前記コンテンツリストにおける取得順序について該一の対象コンテンツデータを最後位に入れ替えることを特徴とする請求項２又は請求項３に記載の端末機。
【請求項８】
前記対象コンテンツデータが複数の前記コンテンツサーバに保有されているとき、前記リスト再構築手段は、前記データ転送状況手段によって検出されたデータ転送状況に基づいて、該対象コンテンツデータと関連付けられている一のコンテンツサーバを他のコンテンツサーバに関連付け直しすることで、該コンテンツリストの再構築を行うことを特徴とする請求項１から請求項７の何れかに記載の端末機。
【請求項９】
複数のコンテンツサーバと通信回線で接続されるとともにユーザの端末機とも接続され、該端末機からのユーザ要求に従って各コンテンツサーバが有するコンテンツデータを取得するコンテンツデータ取得用中間サーバであって、
前記端末機によって受け付けられた、ユーザからの受信の対象となる対象コンテンツデータの要求を、該対象コンテンツデータとそれを有するコンテンツサーバとが関連付けられたコンテンツリストであって、前記コンテンツ取得用中間サーバによる対象コンテンツデータの取得基準となるコンテンツリストの形で、該端末機から受け取るリスト受取手段と、
前記コンテンツ取得用中間サーバと前記対象コンテンツデータを有する各コンテンツサーバとの間のデータ転送状況を取得するデータ転送状況取得手段と、
前記データ転送状況取得手段によって取得されたデータ転送状況を前記端末機に送信する転送状況送信手段と、
前記端末機が前記転送状況送信手段によって送信された転送状況に基づいて前記コンテンツリストの一部又は全部を再構築した再構築コンテンツリストを、該端末機から受け取る再構築リスト受取手段と、
前記再構築リスト受取手段によって受け取られた再構築コンテンツリストに従って、前記対象コンテンツデータを前記コンテンツサーバから取得するコンテンツデータ取得手段と、
前記コンテンツデータ取得手段によって取得された対象コンテンツデータを、前記端末機に送信するコンテンツデータ送信手段と、
を備えることを特徴とするコンテンツデータ取得用中間サーバ。
【請求項１０】
複数のコンテンツサーバと通信回線で接続された中間サーバと、
前記中間サーバを介して、各コンテンツサーバが有するコンテンツデータを受信する端末機と、
前記端末機を介して、ユーザから受信の対象となる対象コンテンツデータの要求を受け付ける受付手段と、
前記受付手段によって受け付けられたユーザ要求に基づいて前記対象コンテンツデータと該対象コンテンツデータを有するコンテンツサーバとが関連付けられたコンテンツリストであって、前記中間サーバによる対象コンテンツデータの取得基準となるコンテンツリストを、該中間サーバ内に生成するリスト生成手段と、
前記中間サーバを介して、該中間サーバと前記対象コンテンツデータを有する各コンテンツサーバとの間のデータ転送状況を検出するデータ転送状況検出手段と、
前記データ転送状況検出手段によって検出されたデータ転送状況に基づいて、前記リスト生成手段によって生成されたコンテンツリストを再構築するリスト再構築手段と、
前記リスト再構築手段によって再構築されたコンテンツリストに従って、前記対象コンテンツデータを前記コンテンツサーバから前記中間サーバに取得させるコンテンツデータ取得手段と、
前記コンテンツデータ取得手段によって取得された対象コンテンツデータを、前記端末機に受信させるコンテンツデータ受信手段と、
を備えることを特徴とするコンテンツデータ受信システム。
【発明の詳細な説明】
【技術分野】
【０００１】
本発明は、複数のコンテンツサーバと通信回線で接続された中間サーバを介して、各コンテンツサーバが有するコンテンツデータを受信する端末機、該中間サーバ、および該端末機と該中間サーバとによって形成されるコンテンツデータの受信システムに関する。
【背景技術】
【０００２】
近年、様々な通信回線を介して、ユーザは音楽データや画像データ等のコンテンツデータを各サーバからダウンロードし、個々人の端末機で該コンテンツデータを利用している。しかし、例えば、複数の音楽データをサーバからダウンロードしようとする場合、各音楽データが複数のサーバに散在していると、ユーザは各サーバ毎にアクセスをしなければならずユーザの行う操作が煩雑となる。そこで、ユーザの操作をより簡便なものにするために、複数の音楽データを任意に選択し組合せてセットした曲目リストに基づいて、音楽データのダウンロードを行う技術が公開されている（例えば、特許文献１を参照。）。
【０００３】
また、ユーザの端末からコンテンツデータをダウンロードしようとするとき、サーバへのアクセスが集中するとコンテンツデータの配信が円滑に進まなくなる。そこで、予め決められた許容アクセス数以内にユーザからのアクセスが収まるように、端末機にダウンロード予定日時を選択させ、その日時に基づいて実際のコンテンツデータのダウンロードが行われることで、アクセスの集中を回避する技術が公開されている（例えば、特許文献２を参照。）。
【０００４】
また、複数の端末機からの要求を複数のサーバによって処理する場合、端末機からの処理が集中すると、サーバ毎の負荷が偏ってしまう場合がある。そこで、各サーバの負荷が可及的に均等になるように、端末機からの処理を分散する技術があるが、端末機からの特定の要求を優先的に処理する場合には、その処理を行うサーバにおいては擬似的に該サーバの負荷を上昇させて、余計な負荷が該サーバにかからないようにして、その優先すべき要求の処理を行う技術が開示されている（例えば、特許文献３を参照。）。
【特許文献１】特開２００１−１７５６７９号公報
【特許文献２】特開２００４−１２６２６５号公報
【特許文献３】特開２００３−５８５２１号公報
【特許文献４】特開２００５−２５７３６５号公報
【特許文献５】特開２００４−１４０５２５号公報
【特許文献６】特開２００３−１２２３７５号公報
【発明の開示】
【発明が解決しようとする課題】
【０００５】
ユーザが、複数のコンテンツサーバが有する各コンテンツデータをそれぞれのコンテンツサーバから受信しようとするとき、特定のコンテンツサーバに負荷が集中したり、また特定のコンテンツサーバとを結ぶ通信回線の状況が悪化したりする等して、コンテンツデータの受信に時間を要する場合がある。このようにコンテンツデータの受信が効率的に行われないと、コンテンツデータの受信中に通信が途切れる可能性が生じたり、複数のコンテンツデータの受信に長時間を要したりすることで、ユーザの利便性が低下する。
【０００６】
本発明では、上記した問題に鑑み、複数のコンテンツサーバが有する各コンテンツデータをそれぞれのコンテンツサーバから受信しようとするとき、ユーザの端末機による効率的なコンテンツデータの受信が可能となる該端末機、コンテンツデータ受信用のシステム
および、そのシステムでユーザの端末機とコンテンツデータとを結ぶコンテンツデータ受信用の中間サーバを提供することを目的とする。
【課題を解決するための手段】
【０００７】
本発明では、上記した課題を解決するために、複数のコンテンツサーバからのコンテンツデータの受信に際して、コンテンツデータと該コンテンツデータを有するコンテンツサーバとが関連付けられたコンテンツリストに基づいて、一元管理された状況下でコンテンツデータの取得を行うとともに、コンテンツサーバからの取得時にそのコンテンツサーバにおけるデータ転送の状況を考慮することとした。これにより、効率的なコンテンツデータの受信が可能となる。
【０００８】
そこで、第一に本発明を、コンテンツデータの受信を行うユーザ側の端末機の側面から捉えた。詳細には、本発明は、複数のコンテンツサーバと通信回線で接続された中間サーバを介して、各コンテンツサーバが有するコンテンツデータを受信する端末機であって、ユーザから受信の対象となる対象コンテンツデータの要求を受け付ける受付手段と、前記受付手段によって受け付けられたユーザ要求に基づいて、前記対象コンテンツデータと該対象コンテンツデータを有するコンテンツサーバとが関連付けられたコンテンツリストであって、前記中間サーバによる対象コンテンツデータの取得基準となるコンテンツリストを、該中間サーバ内に生成するリスト生成手段と、前記中間サーバを介して、該中間サーバと前記対象コンテンツデータを有する各コンテンツサーバとの間のデータ転送状況を検出するデータ転送状況検出手段と、前記データ転送状況検出手段によって検出されたデータ転送状況に基づいて、前記リスト生成手段によって生成されたコンテンツリストを再構築するリスト再構築手段と、前記リスト再構築手段によって再構築されたコンテンツリストに従って前記中間サーバが前記コンテンツサーバから取得した対象コンテンツデータを受信するコンテンツデータ受信手段と、を備える。
【０００９】
ここで、中間サーバは端末機と、コンテンツサーバとの間に介在するサーバであり、端末機からの対象コンテンツデータの受信要求は、この中間サーバを介して行われる。本発明に係る端末機においては、受付手段によって受け付けられた対象コンテンツデータに関するユーザ要求に基づいて、リスト生成手段によってコンテンツリストが中間サーバ内に生成される。このコンテンツリストは、ユーザから要求された対象コンテンツデータ毎に、対象コンテンツデータと、その対象コンテンツデータが保有されているコンテンツサーバとが関連付けられて、包括的に記録されているリストである。
【００１０】
従って、中間サーバは、このコンテンツリストを取得基準として、そこに記録されている対象コンテンツデータに関する情報に従い、対象コンテンツデータの取得を行う。このように中間サーバによってコンテンツリストに従って一元管理された状況下で対象コンテンツデータの取得が行われることで、端末機が直接、対象コンテンツデータを有する各コンテンツサーバに、個別にアクセスする必要がなくなる。これは、端末機を操作するユーザの操作時の負荷を軽減するのに資する。
【００１１】
ここで、中間サーバがコンテンツリストに従って、コンテンツサーバから対象コンテンツデータの取得を行おうとするとき、中間サーバとコンテンツサーバとの間のデータ転送状況がデータ転送に好適な状況でない場合、即ち、データ転送に要する時間が比較的長くなる場合やデータ転送自体が困難である場合、中間サーバによる対象コンテンツデータの取得には比較的長い時間を要することになる。これは、中間サーバがコンテンツリストに規定される取得基準に拘束されることに起因する。尚、データ転送状況が好適であるか否かは、中間サーバとコンテンツサーバとの間のデータ通信速度が基準速度より低いか、該コンテンツサーバの負荷状態が基準状態より大きいか等、データ通信状況を示すパラメータに基づいて適宜判断すればよい。
【００１２】
そこで、本発明に係る端末機においては、データ転送状況検出手段によって検出された中間サーバとコンテンツサーバとの間のデータ転送状況に応じて、リスト再構築手段によってコンテンツリストの再構築が行われる。即ち、一のコンテンツサーバとの間でデータ取得を行おうとするときその転送状況が好適でない場合は、各コンテンツサーバと中間サーバとの間のそれぞれのデータ転送状況を考慮して、転送状況が好適である他のコンテンツサーバとの間でのデータ取得が優先されるように、中間サーバが拘束されるコンテンツリストの取得基準の一部又は全部の変更を行う。これにより、中間サーバは、より好適な転送状況の下で、コンテンツサーバとの対象コンテンツデータの取得を継続することが可能となる。尚、上記一のコンテンツサーバについては、上記他のコンテンツサーバとのデータ取得後の適切な時期にデータ取得が行われるよう、コンテンツリストの変更が行われる。
【００１３】
このように、リスト再構築手段によって再構築されたコンテンツリストに従って、中間サーバが各コンテンツサーバから取得した対象コンテンツデータは、コンテンツデータ受信手段によって端末機に受信されることになる。以上より、端末機によるユーザの要求受付からデータ受信の一連のプロセスにおいて、端末機は効率的な対象コンテンツデータの受信が可能となる。
【００１４】
ここで、上記端末機において、前記コンテンツリストは、前記中間サーバが対象コンテンツデータを、該対象コンテンツデータを有するコンテンツサーバから取得する順序を定義するリストであって、前記リスト再構築手段は、前記データ転送状況検出手段によって検出されたデータ転送状況に基づいて、前記コンテンツリスト中の対象コンテンツデータの前記中間サーバによる取得順序を入れ替えることで、該コンテンツリストの再構築を行ってもよい。
【００１５】
即ち、コンテンツリストでは、対象コンテンツリストとコンテンツサーバとの関連付けが、中間サーバによるデータ取得の順序で形成されており、中間サーバは、そのコンテンツリストにおける順序に従い、対象コンテンツデータの取得を行っていく。このような場合にも、上述したように、対象コンテンツデータを取得しようとするとき、それを保有する一のコンテンツサーバと中間サーバとの間のデータ転送状況が好適でないときは、リスト再構築手段によってコンテンツリスト内で、データ転送状況が好適である他のコンテンツサーバとのデータ取得が優先されるように、コンテンツリストで規定されるデータ取得の順序が再構築される。
【００１６】
また、上記端末機において、前記対象コンテンツデータが複数の前記コンテンツサーバに保有されているとき、前記リスト再構築手段は、前記データ転送状況手段によって検出されたデータ転送状況に基づいて、該対象コンテンツデータと関連付けられている一のコンテンツサーバを他のコンテンツサーバに関連付け直しすることで、該コンテンツリストの再構築を行ってもよい。
【００１７】
即ち、リスト再構築手段によって対象コンテンツデータと関連付けられたコンテンツサーバを入れ替えることで、入れ替え後のコンテンツサーバと中間サーバとの間のデータ転送状況を改善し、端末機によるユーザの要求受付からデータ受信の一連のプロセスにおいて、端末機の効率的な対象コンテンツデータの受信が可能となる。
【００１８】
第二に、本発明を、コンテンツデータの受信を行うユーザ側の端末機とコンテンツデータを有するコンテンツサーバとの間に位置する中間サーバの側面から捉えた。詳細には、本発明は、複数のコンテンツサーバと通信回線で接続されるとともにユーザの端末機とも接続され、該端末機からのユーザ要求に従って各コンテンツサーバが有するコンテンツデ
ータを取得するコンテンツデータ取得用中間サーバであって、前記端末機によって受け付けられた、ユーザからの受信の対象となる対象コンテンツデータの要求を、該対象コンテンツデータとそれを有するコンテンツサーバとが関連付けられたコンテンツリストであって、前記コンテンツ取得用中間サーバによる対象コンテンツデータの取得基準となるコンテンツリストの形で、該端末機から受け取るリスト受取手段と、前記コンテンツ取得用中間サーバと前記対象コンテンツデータを有する各コンテンツサーバとの間のデータ転送状況を取得するデータ転送状況取得手段と、前記データ転送状況取得手段によって取得されたデータ転送状況を前記端末機に送信する転送状況送信手段と、前記端末機が前記転送状況送信手段によって送信された転送状況に基づいて前記コンテンツリストの一部又は全部を再構築した再構築コンテンツリストを、該端末機から受け取る再構築リスト受取手段と、前記再構築リスト受取手段によって受け取られた再構築コンテンツリストに従って、前記対象コンテンツデータを前記コンテンツサーバから取得するコンテンツデータ取得手段と、前記コンテンツデータ取得手段によって取得された対象コンテンツデータを、前記端末機に送信するコンテンツデータ送信手段と、を備える。
【００１９】
この本発明に係るコンテンツデータ取得用中間サーバによって、上述した端末機と同様に、端末機によるユーザの要求受付からデータ受信までの一連のプロセスにおいて、端末機の効率的な対象コンテンツデータの受信が可能となる。
【００２０】
第三に、本発明を、コンテンツデータの受信を行うユーザ側の端末機とコンテンツデータを有するコンテンツサーバとの間に位置する中間サーバとで構成されるシステムの側面から捉えた。詳細には、本発明は、端末機によってコンテンツデータの受信を行うためのコンテンツデータ受信システムであって、複数のコンテンツサーバと通信回線で接続された中間サーバと、前記中間サーバを介して、各コンテンツサーバが有するコンテンツデータを受信する端末機と、前記端末機を介して、ユーザから受信の対象となる対象コンテンツデータの要求を受け付ける受付手段と、前記受付手段によって受け付けられたユーザ要求に基づいて前記対象コンテンツデータと該対象コンテンツデータを有するコンテンツサーバとが関連付けられたコンテンツリストであって、前記中間サーバによる対象コンテンツデータの取得基準となるコンテンツリストを、該中間サーバ内に生成するリスト生成手段と、前記中間サーバを介して、該中間サーバと前記対象コンテンツデータを有する各コンテンツサーバとの間のデータ転送状況を検出するデータ転送状況検出手段と、前記データ転送状況検出手段によって検出されたデータ転送状況に基づいて、前記リスト生成手段によって生成されたコンテンツリストを再構築するリスト再構築手段と、前記リスト再構築手段によって再構築されたコンテンツリストに従って、前記対象コンテンツデータを前記コンテンツサーバから前記中間サーバに取得させるコンテンツデータ取得手段と、前記コンテンツデータ取得手段によって取得された対象コンテンツデータを、前記端末機に受信させるコンテンツデータ受信手段と、を備える。
【００２１】
この本発明に係るコンテンツデータ受信システムによって、上述した端末機と同様に、端末機によるユーザの要求受付からデータ受信までの一連のプロセスにおいて、端末機の効率的な対象コンテンツデータの受信が可能となる。
【発明の効果】
【００２２】
複数のコンテンツサーバが有する各コンテンツデータをそれぞれのコンテンツサーバから受信しようとするとき、ユーザの端末機による効率的なコンテンツデータの受信が可能となる。
【発明を実施するための最良の形態】
【００２３】
ここで本発明に係る端末機、コンテンツデータ取得用中間サーバ、コンテンツデータ受信システムの実施の形態について図面に基づいて説明する。
【実施例１】
【００２４】
図１は、本発明に係る端末機１、中間サーバ３０および該端末機１と中間サーバ３０によって構成されるコンテンツデータ受信システム５０（以下、単に「受信システム」という。）の概略構成を示す図である。本実施例に係る端末機１は、車両等の移動体に設置される移動式の端末機であるが、固定式の端末機であっても構わない。この端末機１は、コンテンツデータとしての音楽データ（以下、単に「コンテンツデータ」という。）を再生処理等して該移動体内のユーザに楽曲を提供する電子機器である。
【００２５】
先ず、端末機１、中間サーバ３０、受信システム５０のハード構成について、図１に基づいて説明する。端末機１は、中央処理装置（以下、「ＣＰＵ」という。）３を有している。このＣＰＵ３は、その内部に、システム制御部４を有しており、システム制御部４がハードディスクドライブ（以下、「ＨＤＤ」という。）１２内に記憶された様々なコンテンツデータにアクセスして、それらのデータの再生等の処理を行う。
【００２６】
システム制御部４は、主に、ユーザに対して音楽サービスを提供するために、端末機１を、コンテンツデータを処理する装置として機能させるための制御を司る。その一例として、この端末機１は、コンテンツデータを移動体内で再生する機能を有する。端末機１には、ＣＤ／ＤＶＤデッキ（以下、単に「ＣＤデッキ」という。）１３と、ＨＤＤ１２が備えられ、それぞれシステム制御部４に電気的に接続されている。また、システム制御部４には、移動体内のユーザ（移動体の操縦者や同乗者等の端末機１の操作が可能である者であり、以下においても同様とする。）からのコンテンツデータの処理に関する指令を受け付ける入力部８と、コンテンツデータに関する情報をユーザに対して表示する表示部９が電気的に接続される。更に、システム制御部４にはＤＳＰ（Ｄｉｇｉｔａｌ  Ｓｉｇｎａｌ  Ｐｒｏｃｅｓｓｏｒ）再生制御部１４が電気的に接続され、ＤＳＰ再生制御部１４ではシステム制御部４から送られるコンテンツデータに対して演算処理を施し、移動体内に設けられたパワーアンプ１５に音楽演奏のための電気信号を送る。
【００２７】
更に、端末機１における、コンテンツデータの処理について説明する。移動体内のユーザが、ＣＤデッキ１３にコンテンツデータが記憶された音楽ＣＤを装着すると、システム制御部４によって音楽ＣＤからデータのサンプリングが行われ、そのコンテンツデータがＤＳＰ再生制御部１４に送られて演算処理され、パワーアンプ１５を介して移動体内に設けられたスピーカ１６から音楽が演奏される。このとき、システム制御部４は、ＣＤデッキ１３に装着された音楽ＣＤが移動体内で初めて演奏される場合には、そのコンテンツデータをＡＴＲＡＣ３やＭＰ３等の所定のデータ形式に変換してＨＤＤ１２内に記憶していく。このようにすることで、システム制御部４が、ＨＤＤ１２内にコンテンツデータを記憶していき、ＣＤデッキ１３に音楽ＣＤが装着されていなくても、ユーザは任意にＨＤＤ１２内に記憶されたコンテンツデータを再生し、移動体内で聞くことが可能となる。
【００２８】
尚、以前にシステム制御部４によってＨＤＤ１２内に記憶された履歴を有する音楽ＣＤがＣＤデッキ１３に再び装着されたときは、システム制御部４はＨＤＤ１２へのコンテンツデータの記憶は行わない。また、上述したように、システム制御部４が自動的にＨＤＤ１２へのコンテンツデータの記憶を行うのに加えて、ユーザからの入力部８を通した指令に従って、音楽ＣＤの任意のコンテンツデータのみをＨＤＤ１２内に記憶するようにしてもよい。
【００２９】
また、ＣＰＵ３内において、システム制御部４はエンコード／デコード部５と暗号化／複合化部６と電気的に接続されている。エンコード／デコード部５では、ＨＤＤ１２内にコンテンツデータを記憶する際の該コンテンツデータの圧縮や、その圧縮されたコンテンツデータのＤＳＰ再生制御部１４での演算処理のための解凍が行われる。また、暗号化／
複合化部６では、ＨＤＤ１２内に記憶されるコンテンツデータの著作権を保護するための暗号化、およびその複合化を行う。
【００３０】
また、ＣＰＵ３は、ＲＡＭ１０、ＲＯＭ１１とも電気的に接続されており、必要に応じてこれらのメモリに記憶されている情報に、ＣＰＵ３がアクセスする。尚、ＲＡＭ１０は、不揮発性のメモリとなっている。
【００３１】
ここで、ユーザは、ＨＤＤ１２内に記憶されているコンテンツデータや自己の有するＣＤ等に記憶されているコンテンツデータ以外のコンテンツデータを、端末機１で再生したいと考える場合がある。このようなとき、端末機１の外部にインターネット４０に接続される複数のコンテンツサーバＣＳ１〜ＣＳ３に対して、端末機１がアクセスすることで、各コンテンツサーバの有するコンテンツデータを端末機１にダウンロードして、そこで再生を行う。
【００３２】
このコンテンツサーバからのコンテンツデータのダウンロードについて説明する。端末機１内において、システム制御部４は、アンテナ２１を介して外部のネットワークと無線通信を行うための送受信部２０に電気的に接続される。そして、この送受信部２０およびアンテナ２１を介した無線通信は、移動体内に備えられる端末機１とは別に、固定式で設置される中間サーバ３０に対して、アンテナ３２および中継器３１を介して行われる。この中継器３１は、アンテナ３２が受信した端末機１から出される無線電波を、中間サーバ３０へ導くものである。そして、概略してこの端末機１および中間サーバ３０によって、本発明に係る受信システム５０が形成される。そして、この受信システム５０が、中間サーバ３０を窓口としてインターネット４０と接続され、端末機１によるコンテンツサーバからのコンテンツデータのダウンロードが可能となる。
【００３３】
ここで、本発明に係る端末機１、中間サーバ３０、受信システム５０においては、端末機１によるコンテンツサーバからのコンテンツデータのダウンロードは、端末機１および中間サーバ３０が図２に示す各機能を果たすことで達成される。この端末機１等による各機能は、コンテンツデータダウンロード用の制御プログラムが端末機１および中間サーバ３０で実行されることで実現され、図２は、その各機能を「機能部」としてイメージ化したものである。以下に、各機能部の機能を簡単に説明する。
【００３４】
先ず、端末機１側において、受付部（本発明に係る端末機１の受付手段に相当する。）６０によってユーザからのコンテンツデータのダウンロード要求を受け付け、その後、リスト生成部（本発明に係る端末機１のリスト生成手段の一部に相当する。）６１によってコンテンツリストが生成される。そして、このコンテンツリストが中間サーバ３０のリスト受取部（本発明に係る中間サーバ３０のリスト受取手段に相当する。）７０によって受け取られる。その後、データ転送状況取得部（本発明に係る中間サーバ３０のデータ転送状況取得手段に相当する。）７１によって各コンテンツサーバと中間サーバ３０とのデータ転送状況が取得され、その結果が転送状況送信部（本発明に係る中間サーバ３０の転送状況送信手段に相当する。）７２によって端末機１側に送信される。
【００３５】
この送信されたデータ転送状況は、端末機１側のデータ転送状況検出部（本発明に係る端末機１のデータ転送状況検出手段に相当する。）６２によって受け取られ、このデータ転送状況に基づいてリスト再構築部６３（本発明に係る端末機１のリスト再構築手段に相当する。）によってコンテンツリストの再構築が行われる。
【００３６】
更に、この再構築されたコンテンツリストは、中間サーバ３０側の再構築リスト受取部（本発明に係る中間サーバ３０の再構築リスト受取手段に相当する。）７３によって受け取られ、その再構築後のコンテンツリストに基づいて、データ取得部７４（本発明に係る
中間サーバ３０のコンテンツデータ取得手段に相当する。）によって各コンテンツサーバＣＳ１〜３からのコンテンツデータの取得が行われる。その後、取得されたコンテンツデータは、データ送信部（本発明に係る中間サーバ３０のコンテンツデータ送信手段に相当する。）７５によって端末機１側に送信され、端末機１側ではデータ受信部（本発明に係る端末機１のコンテンツデータ受信手段に相当する。）によって受信される。
【００３７】
次に、コンテンツデータのダウンロードにおける、上述した端末機１および中間サーバ３０の各機能部による処理について、図３〜６に基づいて以下に具体的に説明する。図３は、上記リスト生成部６１によって生成されるコンテンツリストの構造を示す図であり、このコンテンツリストは、図４に示すコンテンツリスト作成処理に従い作成される。このコンテンツリストは、ユーザからダウンロード要求が出されたコンテンツデータ毎に、そのコンテンツデータが保有されているコンテンツサーバ名が関連付けられて登録されているリストであり、本実施例では、データ取得順序、楽曲名、コンテンツサーバ、サブコンテンツサーバのフィールドで構成される。このデータ取得順序とは、中間サーバ３０によって各コンテンツサーバから取得されるコンテンツデータの順序を表し、当初のデータ取得順序は、ユーザからのダウンロードが要求される順となる。このコンテンツリストの作成処理について、図４に基づいて説明する。尚、コンテンツリスト作成処理は、端末機１のＣＰＵ３によって実行される。
【００３８】
Ｓ１０１では、ユーザからのダウンロード要求の楽曲の入力が受け付けられる。本実施例では、ユーザにより、順に楽曲「Ｘ１」、「Ｘ２」、「Ｘ３」の順で入力部８を介して、ＣＰＵ３が楽曲を受け付けることになる。このＳ１０１の処理は、上記の受付部６０によって実行される処理に相当する。Ｓ１０１の処理後、Ｓ１０２へ進む。
【００３９】
Ｓ１０２では、Ｓ１０１で受け付けた楽曲情報に基づいて、その楽曲のコンテンツデータがＣＤデッキ１３に搭載されたＤＶＤ内に格納されていないか、ＤＶＤデータ内の検索が行われる。このＤＶＤは、ユーザに供給され得るコンテンツデータが格納されており、ユーザはこの中の任意のコンテンツデータを任意でＨＤＤ１２内に移動させて再生処理等することが可能であるが、このときコンテンツデータの著作権が守られるべく適切な処理が行われる。この著作権を守るための技術は、本発明の中核をなさないため、ここでの説明は割愛する。Ｓ１０２の処理後、Ｓ１０３へ進む。
【００４０】
Ｓ１０３では、Ｓ１０２での検索の結果、ＤＶＤ内にユーザが要求する楽曲のコンテンツデータが存在するか否かが判定される。該コンテンツデータが存在すると判定されると、該コンテンツデータをコンテンツサーバからダウンロードする必要性は無いため、Ｓ１０６へ進み、該楽曲データに関するコンテンツリストの作成は行われないことになる。一方で、該コンテンツデータが存在しないと判定されると、該コンテンツデータをコンテンツサーバからダウンロードする必要性が出てくる。そこで、Ｓ１０４へ進み、該楽曲データを有するコンテンツサーバの所在を検出するべく、コンテンツサーバの検索が行われる。
【００４１】
本実施例においては、楽曲Ｘ１、Ｘ２、Ｘ３の全てはＤＶＤ内に存在しなかったため、それぞれの楽曲に対してＳ１０４によるコンテンツサーバの検索が行われる。その結果、楽曲Ｘ１については、コンテンツサーバＣＳ１がそれを有していることを索出し、楽曲Ｘ２については、コンテンツサーバＣＳ２とＣＳ３がそれを有していることを索出し、楽曲Ｘ３については、コンテンツサーバＣＳ１とＣＳ２とＣＳ３がそれを有していることを索出することになる。Ｓ１０４の処理後、Ｓ１０５へ進む。
【００４２】
Ｓ１０５では、Ｓ１０４の検索結果を楽曲毎に追加していき、図３に示すコンテンツリストが作成される。ここで、Ｓ１０４の検索結果において、コンテンツサーバを二つ以上
索出した場合、そのうち一のコンテンツサーバを「コンテンツサーバ」フィールドに登録し、残りのコンテンツサーバを「サブコンテンツサーバ」フィールドに登録する。この「コンテンツサーバ」フィールドに登録されたコンテンツサーバは、「サブコンテンツサーバ」フィールドに登録されたコンテンツサーバより、優先的にコンテンツデータのダウンロード先として使用される。その詳細は、図５および図６に基づいて後述する。尚、Ｓ１０４およびＳ１０５の処理は、上記のリスト生成部６１によって実行される処理に相当する。Ｓ１０５の処理が終了すると、Ｓ１０６へ進む。
【００４３】
Ｓ１０６では、ユーザからのダウンロード要求の対象である楽曲の入力が終了したか否かが判定される。該入力が終了したと判定されると、本コンテンツリスト作成処理は終了し、該入力が終了していないと判定されると、再びＳ１０１以降の処理が行われる。
【００４４】
次に、端末機１、中間サーバ３０による、コンテンツリストに基づいたコンテンツサーバからのコンテンツデータのダウンロードについて、図５に基づいて説明する。図５は、コンテンツデータのダウンロードにおける端末機１、中間サーバ３０、コンテンツサーバＣＳ１〜ＣＳ３の間の処理の流れを示す図である。
【００４５】
Ｓ２０１では、上記Ｓ１０１と同様に、ユーザからのダウンロード要求の楽曲の入力が受け付けられる。この後Ｓ２０２へ進み、上記Ｓ１０２〜Ｓ１０６の処理により、コンテンツリストが、端末機１側で作成される。その後、Ｓ２０３へ進み、コンテンツリストがリスト生成部６１によって中間サーバ３０内に生成されるべく、作成されたコンテンツリストが中間サーバ３０へ送られる。
【００４６】
そして、Ｓ２０４でリスト受取部７０によって、コンテンツリストが中間サーバ３０側に受け取られ、Ｓ２０５において中間サーバ３０によるコンテンツデータの取得が開始される。この中間サーバ３０によるコンテンツサーバからのコンテンツデータの取得は、端末機１から送られてきたコンテンツリストに基づいて行われる。例えば、図３に示すコンテンツリストに従うと、当初は、中間サーバ３０は、一番目に楽曲Ｘ１をコンテンツサーバＣＳ１から、二番目に楽曲Ｘ２をコンテンツサーバＣＳ２から、三番目に楽曲Ｘ３をコンテンツサーバＣＳ１から、取得する予定となっている。
【００４７】
ここで、Ｓ２０５でのコンテンツデータ取得をトリガーとして、Ｓ２０６で端末機１から中間サーバ３０に対して、中間サーバ３０とコンテンツデータのダウンロード先であるコンテンツサーバとの間のデータ転送状況を検出するべく指示が出される。このデータ転送状況は、中間サーバ３０と各コンテンツサーバとの間のデータ通信速度またはコンテンツサーバの負荷状態等に基づいて、中間サーバ３０とコンテンツサーバとの間のデータ転送状況がデータ転送に好適な状況であるか否かを判断するための指標である。即ち、上記データ通信速度が基準速度より低い場合や、上記負荷状態が基準状態より大きい場合には、中間サーバ３０とコンテンツサーバとの間のデータ転送状況がデータ転送には好適な状況ではなく、データ転送に比較的長い時間を要することになる。このような場合には、中間サーバが、データ転送状況が好適な状況にあるコンテンツサーバと優先的にデータ転送を行うことで、ユーザから要求のあったコンテンツデータ全体の効率的なダウンロードが可能となる。
【００４８】
本実施例では、図３に示すコンテンツリストによると、Ｓ２０６で出される指示は、「コンテンツサーバ」フィールドおよび「サブコンテンツサーバ」フィールドに含まれるコンテンツサーバＣＳ１、ＣＳ２、ＣＳ３の各々と、中間サーバ３０との間の転送状況を検出する指示となる。
【００４９】
Ｓ２０６による端末機１からの指示を、Ｓ２０７で中間サーバ３０が受け取り、対象と
なるコンテンツサーバＣＳ１〜ＣＳ３に対して、中間サーバ３０とのデータ転送状況を要求する（この処理が、データ転送状況取得部７１による処理に相当する。）。そして、各コンテンツサーバは、この要求に応じてＳ２０８で各データ転送状況を中間サーバ３０に返信し、更にＳ２０９で中間サーバ３０は、取得した各データ転送状況を端末機１に転送し（この処理が、転送状況送信部７２による処理に相当する。）、その結果、Ｓ２１０で端末機１が、中間サーバ３０と各コンテンツサーバとの間のデータ転送状況を検出する（この処理が、データ転送状況検出部６２による処理に相当する。）。
【００５０】
このとき、例えば、図３に示すようにデータ取得順序が１番目の対象である楽曲Ｘ１のコンテンツデータを取得する前段階において、中間サーバ３０とコンテンツサーバＣＳ１との間のデータ転送状況が好適な状況でなく、一方で中間サーバ３０とコンテンツサーバＣＳ２との間のデータ転送状況が好適な状況であると判定されたと仮定する。この状態で、中間サーバ３０がコンテンツサーバＣＳ１との間で楽曲Ｘ１のコンテンツデータの取得を行おうとすると、そこで比較的長い時間を要し、効率的なデータ取得が阻害される虞がある。そこで、このような場合には、図３に示すコンテンツリストにおいて、楽曲Ｘ１とＸ２とのデータ取得順序を変更して、データ転送状況が好適なコンテンツサーバＣＳ２に保有される楽曲Ｘ２のコンテンツデータの取得が、優先的に行われるのが、効率的なコンテンツデータのダウンロードに資する。そこで、Ｓ２１１では、Ｓ２１０で端末機１が検出した中間サーバ３０と各コンテンツサーバとの間のデータ転送状況に基づいて、効率的なコンテンツデータのダウンロードが行われるようにコンテンツリストが再構築される（この処理が、リスト再構築部６３による処理に相当する。）。
【００５１】
尚、このコンテンツリストの再構築においては、上記のようにコンテンツデータのデータ取得順序を入れ替える以外にも以下に示す方法も有用である。例えば、図３に示すようにデータ取得順序が２番目の対象である楽曲Ｘ２のコンテンツデータを取得する前段階において、中間サーバ３０とコンテンツサーバＣＳ２との間のデータ転送状況が好適な状況でなく、一方で中間サーバ３０とコンテンツサーバＣＳ３との間のデータ転送状況が好適な状況であると判定されたと仮定する。このような場合、楽曲Ｘ２について、「コンテンツサーバ」フィールドと「サブコンテンツサーバ」フィールドの内容を入れ替えて、コンテンツサーバＣＳ３を「コンテンツサーバ」フィールドに、コンテンツサーバＣＳ２を「サブコンテンツサーバ」フィールドに登録し直す。この結果、中間サーバ３０は、楽曲Ｘ２のコンテンツデータをコンテンツサーバＣＳ３から取得することになり、以て効率的なダウンロードが可能となる。
【００５２】
更に、楽曲Ｘ３のように、「サブコンテンツサーバ」フィールドに二つ以上のコンテンツサーバが登録されている場合、コンテンツサーバＣＳ１とのデータ転送状況が好適でないとすると、コンテンツサーバＣＳ２、ＣＳ３のうちより好適な方を、「コンテンツサーバ」フィールドに登録し直せばよい。
【００５３】
また、上記実施例では、データ転送状況が好適な状況か否かに基づいてコンテンツリストの再構築を行っているが、該再構築の基準はこれに限られない。例えば、コンテンツリストの「コンテンツサーバ」フィールドに登録されている、中間サーバ３０がコンテンツデータを取得する直接の対象であるコンテンツサーバが、データ転送状況が好適な状況である、即ち、上記基準速度よりも高いデータ通信速度である等の場合であっても、コンテンツリストの「サブコンテンツサーバ」フィールドに登録されているコンテンツサーバの方が、より好適な状況であるときは、上述したコンテンツサーバの入れ替えを行ってもよい。このことは、コンテンツデータのデータ取得順序の入れ替えに際しても、同様に適用することができる。
【００５４】
そして、Ｓ２１１で再構築されたコンテンツリストは、Ｓ２１２で端末機１によって中
間サーバ３０に転送され、Ｓ２１３で中間サーバ３０が該再構築コンテンツリストを受け取る（この処理が、再構築リスト受取部７３による処理に相当する。）。そして、中間サーバ３０は、Ｓ２１４でこの再構築コンテンツリストに従って、現時点で直近の取得の対象となる一のコンテンツデータ（本発明に係る一の対象コンテンツデータ）の取得要求を、その一の対象コンテンツデータを保有するコンテンツサーバに対して行う。本実施例においては、例えば、中間サーバ３０が二番目の楽曲Ｘ２のコンテンツデータを取得しようとするときは、そのコンテンツデータを保有するコンテンツサーバＣＳ２に対して、もしくは上述のコンテンツリストの再構築（「コンテンツサーバ」フィールドと「サブコンテンツサーバ」フィールドの入れ替え）が行われているときはコンテンツサーバＣＳ３に対して取得要求を行う（この処理が、データ取得部７４による処理に相当する。）。
【００５５】
Ｓ２１４の取得要求の対象となったコンテンツサーバは、Ｓ２１５でその一の対象コンテンツデータを、中間サーバ３０の方へ転送する。一の対象コンテンツデータを受け取った中間サーバ３０は、Ｓ２１６でそれを端末機１へ送信し（この処理が、データ送信部７５による処理に相当する。）、Ｓ２１７で端末機１がそれを受信する（この処理が、データ受信部６４による処理に相当する。）。
【００５６】
また、中間サーバ３０による一の対象コンテンツデータの取得が完了すると、次の取得の対象となるコンテンツデータが存在する場合は、上述したＳ２０６以降の処理が繰り返される（Ｓ２１８の処理）。即ち、再構築コンテンツリストに登録されたデータ取得順序の最後の楽曲のコンテンツデータの取得が完了するまで、Ｓ２０６以降の処理が繰り返される。これにより、ユーザの要求する楽曲のコンテンツデータの一連のダウンロードが行われることになる。
【００５７】
このように、中間サーバ３０によってコンテンツデータの取得が開始される毎に、中間サーバ３０と各コンテンツサーバとの間のデータ転送状況が確認されてコンテンツリストが再構築されることで、中間サーバ３０によるコンテンツデータの取得が効率的に行われ、以てユーザによる一連のダウンロードの効率が向上する。
【実施例２】
【００５８】
実施例１に示した楽曲のダウンロードにおける端末機１、中間サーバ３０、コンテンツサーバＣＳ１〜ＣＳ３の間の処理の流れでは、中間サーバ３０によってコンテンツデータの取得が開始される毎にコンテンツリストの再構築が行われていたが、本実施例では、更に一の対象コンテンツデータの取得中に、このコンテンツリストの再構築を行う例を、図６に基づいて説明する。
【００５９】
図６には、図５で示したＳ２１３以降の処理が記載され、Ｓ２０１からＳ２１２までの処理の記載は省略されている。Ｓ２１４の処理が行われた後、対象となったコンテンツサーバから中間サーバへの一の対象コンテンツデータの転送が開始される（Ｓ３０１の処理）。そして、この一の対象コンテンツデータの転送中に、端末機１から中間サーバ３０に対して、Ｓ２０７と同様に、データ転送が行われている該コンテンツサーバと中間サーバ３０との間のデータ転送状況について、データ転送状況検出指示が出される。その後、上述したＳ２０７、Ｓ２０８、Ｓ２０９、Ｓ２１０と同様の処理であるＳ３０３（中間サーバ３０からコンテンツサーバに対するデータ転送状況の要求処理）、Ｓ３０４（コンテンツサーバの転送状況を中間サーバ３０に返信する処理）、Ｓ３０５（コンテンツサーバから受け取ったデータ転送状況を端末機１に転送する処理）、Ｓ３０６（端末機１において中間サーバ３０とコンテンツサーバとの間のデータ転送状況を検出する処理）の各処理が行われる。
【００６０】
このＳ３０６で検出されたデータ転送状況とは、中間サーバ３０とコンテンツサーバと
の間でコンテンツデータの転送が行われている際のデータ転送状況である。そして、Ｓ３０７では、Ｓ３０６で検出されたデータ転送状況が好適な状況か否かが判定される。この判定は、上述した基準となる通信速度やコンテンツサーバの負荷状態の基準状態等に基づいて行われる。ここで、データ転送状況が好適な状況であると判定されるとＳ３１１へ進み、実行中の一の対象コンテンツデータの転送を継続し、上述したＳ２１６以降の処理を逐次行う。
【００６１】
一方で、データ転送状況が好適な状態ではないと判定されると、Ｓ３０８へ進む。Ｓ３０８では、現時点で実行中の一の対象コンテンツデータの転送処理を中断するべく、中間サーバ３０に中断指示を出し、それを受けた中間サーバ３０はＳ３１２でコンテンツサーバにデータ転送の中断指示を出し、その結果コンテンツサーバは現時点で行っているデータ転送を中断する（Ｓ３１３の処理）。
【００６２】
また、Ｓ３０８の処理後、端末機１では、データ転送が中断されたコンテンツデータに関して、コンテンツリストの再構築が行われる（Ｓ３０９の処理）。具体的には、データ転送が中断されたコンテンツデータを、再びコンテンツサーバから中間サーバ３０に転送されるようにするために、コンテンツリストにおける該コンテンツデータのデータ取得順序が最後尾となるように、コンテンツデータの取得順序を入れ替える。本実施例において、例えば、図３に示す一番目の楽曲Ｘ１のコンテンツデータの転送中に、Ｓ３０８によるデータ転送中断指示が出された場合、楽曲Ｘ１のコンテンツデータが最後尾の三番目に転送されるように、コンテンツリストのデータ取得順序が入れ替えられる。
【００６３】
そして、この再構築されたコンテンツデータは、再び中間サーバ３０に転送される（Ｓ３１０の処理）。その後、上述したＳ２１３以降の処理が繰り返されることで、コンテンツデータのコンテンツサーバからの取得が行われる。
【００６４】
このように、コンテンツデータの転送中においても、中間サーバ３０とコンテンツサーバとの間のデータ転送状況に基づいてコンテンツリストを再構築することで、コンテンツデータの取得に要する時間が過度に長くなるのを防ぐことが可能となる。
【図面の簡単な説明】
【００６５】
【図１】本発明の実施例に係る端末機、中間サーバ、およびこれらにより構成されるコンテンツデータ受信システムの概略構成図である。
【図２】本発明の実施例に係る端末機、中間サーバ、およびコンテンツデータ受信システムにおける機能部をイメージ化した図である。
【図３】本発明の実施例に係る端末機、中間サーバ、およびコンテンツデータ受信システムにおいて、コンテンツデータの取得に使用されるコンテンツリストを示す図である。
【図４】本発明の実施例に係る端末機、中間サーバ、およびコンテンツデータ受信システムにおいて、コンテンツリストを作成するための処理の流れを示すフローチャートである。
【図５】本発明の実施例に係る端末機、中間サーバ、およびコンテンツデータ受信システムにおいて、ユーザからの要求に従い楽曲のコンテンツデータをダウンロードするための端末機、中間サーバ、コンテンツサーバとの間の処理の流れを示す第一の図である。
【図６】本発明の実施例に係る端末機、中間サーバ、およびコンテンツデータ受信システムにおいて、ユーザからの要求に従い楽曲のコンテンツデータをダウンロードするための端末機、中間サーバ、コンテンツサーバとの間の処理の流れを示す第二の図である。
【符号の説明】
【００６６】
１・・・・端末機
３・・・・ＣＰＵ
４・・・・システム制御部
１２・・・・ハードディスクドライブ（ＨＤＤ）
１３・・・・ＣＤ／ＤＶＤデッキ（ＣＤデッキ）
３０・・・・中間サーバ
４０・・・・インターネット
５０・・・・コンテンツデータ受信システム（受信システム）
ＣＳ１、ＣＳ２、ＣＳ３・・・・コンテンツサーバ
【図１】
2008033600.tif 000003
【図２】
2008033600.tif 000004
【図３】
2008033600.tif 000005
【図４】
2008033600.tif 000006
【図５】
2008033600.tif 000007
【図６】
2008033600.tif 000008